(57)【要約】【課題】  原稿の読み取り時にカラー原稿に対してもモノクロ原稿に対してもそれぞれ必要な光量を備えると共に、広い分光分布を持った光を照射できるようにする。【解決手段】  原稿読取装置３のＣＰＵ７０は、カラー原稿か否かを判断し、カラー原稿の場合は、読み取り動作開始と判断すると、第１光源４３を点灯させると同時に、第２光源４４を点灯させ、原稿の読み取り動作を実行し、読み取り動作が終了か否かを判断し、終了であれば、第１光源４３及び第２光源４４を消灯させる。また、モノクロ原稿の場合は、第１光源４３のみを点灯させ、原稿の読み取り動作を実行し、読み取り動作が終了か否かを判断し、終了であれば、第１光源４３を消灯させる。【選択図】        図１
2011228895.tif 000002
【特許請求の範囲】
【請求項１】
原稿に光源から光を照射し、原稿からの反射光に基づいて原稿の画像を読み取る原稿読取装置であって、
前記光源は、複数の波長の光の分光分布が不連続な光を発光する第１光源と、前記各波長の光の分光分布で不連続な部分の波長の光を補間する光を含む光を発光する第２光源とからなることを特徴とする画像読取装置。
【請求項２】
カラー画像が記載された原稿の読み取り時には、前記第１光源と前記第２光源を同時に点灯させる手段を設けたことを特徴とする請求項１記載の画像読取装置。
【請求項３】
モノクロ画像の記載された原稿の読み取り時には、前記第１光源を点灯させる手段を設けたことを特徴とする請求項１又は２記載の画像読取装置。
【請求項４】
前記第１光源を点灯する前に前記第２光源を点灯させ、前記第１光源を点灯して所定時間経過したら前記第２光源を消灯する手段を設けたことを特徴とする請求項３記載の画像読取装置。
【請求項５】
前記原稿の読み取り開始前、前記第１光源が正常か否かを判断し、前記第１光源が正常ではなかった場合、前記第２光源を点灯させて前記原稿の読み取りを開始する手段を設けたことを特徴とする請求項３記載の画像読取装置。
【請求項６】
前記第１光源はキセノンランプであり、前記第２光源は有機ＥＬランプであることを特徴とする請求項１乃至５のいずれか一項に記載の画像読取装置。
【請求項７】
請求項１乃至６のいずれか一項に記載の画像読取装置を備えたことを特徴とする画像形成装置。
【発明の詳細な説明】
【技術分野】
【０００１】
この発明は、スキャナを含む画像読取装置と、その画像読取装置を備えたファクシミリ装置、複写機、複合機を含む画像形成装置に関する。
【背景技術】
【０００２】
ファクシミリ装置と複写機と複合機、画像読取機能を備えた一部のプリンタを含む画像形成装置に搭載された画像読取装置（単体で使用されるスキャナ装置も含む）は、原稿に光を照射し、原稿からの反射光をＣＣＤ（例えば、ラインセンサなどがある）を含む光電変換部に結像させて画像データ化し、原稿上の画像を読み取る装置である。
このような画像読取装置には、原稿に光を照射する照明部と、その照明部からの光を原稿へ導くと共に、原稿からの反射光を上記光電変換部へ導く光学系部とを備えたユニットを、原稿台ガラス（「コンタクトガラス」ともいう）下で走査するように設け、原稿台ガラス上に原稿をその読み取り面を下側にして載置し、その原稿を上側から原稿押え板（圧板）で押え、原稿台ガラス下を走査する照明部から原稿台ガラスを介して原稿の読み取り面へ照射光を照射し、その反射光を光学系部によって上記光電変換部へ導くことによって原稿の画像を読み取る圧板方式がある。
【０００３】
また、照明部と光学系部を原稿台ガラス下の位置に固定し、自動原稿搬送装置（ＡＤＦ）によって原稿を光学系の露光位置である原稿台ガラス上を搬送させ、その搬送される原稿の読み取り面へ照射光を照射し、その反射光を光学系部によって上記光電変換部へ導くことによって原稿の画像を読み取るシートスルー方式もある。このシートスルー方式によれば、原稿が複数枚の場合、オペレータが原稿を変える作業をしなくて済むので読み取り作業を効率良くできる。
上記照明部の光源としては、キセノンランプが多用されている。
【０００４】
しかし、キセノンランプが発生する光は、その光に含まれる複数の波長毎の強度の分布（これを「スペクトル」と呼ぶ）が、太陽光のように連続するスペクトルではなく、６２７ｎｍ（赤色）、５９３ｎｍ（緑色）、５４４ｎｍ（青色）の各波長の間の光の波長が非常に低い強度であったり欠落していたりする不連続なスペクトルである。
したがって、キセノンランプの照射する光を原稿の画像の読み取りに用いた場合、ＣＣＤの分光感度領域に対して効率的な光ではなかった。
また、キセノンランプの管面電極の形状やガス圧を最適化し、光量変動を小さく、チラツキなどの異常点灯発生の防止等のために、定電力制御によってランプ光量を読み取りモードに応じて任意に可変することは難しいという問題があった。
【０００５】
従来、光源を備えた読み取り光学系の位置を固定して、原稿を読み取り光学系の副走査方向に移動させて光源からの光を原稿面に照射し、原稿の画像を読み取るシートスルー方式の画像読取装置において、上記光源として主走査方向に長尺な面発光光源によって原稿面を照明する有機エレクトロルミネッセンスを用いた画像読取装置（例えば、特許文献１参照）があった。
【発明の概要】
【発明が解決しようとする課題】
【０００６】
しかしながら、上述した従来の画像読取装置では、分光分布の狭い有機エレクトロルミネッセンスのみを光源に備えているため、カラー原稿の読み取り時やモノクロ原稿の高速読み取り時に必要な光量を維持し、広い分光分布を持たせて効率的に読み取りを行えるようにすることができないという問題があった。
この発明は上記の点に鑑みてなされたものであり、原稿の読み取り時にカラー原稿に対してもモノクロ原稿に対してもそれぞれ必要な光量を備えると共に、広い分光分布を持った光を照射できるようにすることを目的とする。
【課題を解決するための手段】
【０００７】
この発明は上記の目的を達成するため、原稿に光源から光を照射し、原稿からの反射光に基づいて原稿の画像を読み取る原稿読取装置であって、上記光源は、複数の波長の光の分光分布が不連続な光を発光する第１光源と、上記各波長の光の分光分布で不連続な部分の波長の光を補間する光を含む光を発光する第２光源とからなる画像読取装置を提供する。
また、カラー画像が記載された原稿の読み取り時には、上記第１光源と上記第２光源を同時に点灯させる手段を設けるとよい。
さらに、モノクロ画像の記載された原稿の読み取り時には、上記第１光源を点灯させる手段を設けるとよい。
【０００８】
また、上記第１光源を点灯する前に上記第２光源を点灯させ、上記第１光源を点灯して所定時間経過したら上記第２光源を消灯する手段を設けるとよい。
さらに、上記原稿の読み取り開始前、上記第１光源が正常か否かを判断し、上記第１光源が正常ではなかった場合、上記第２光源を点灯させて上記原稿の読み取りを開始する手段を設けるとよい。
また、上記第１光源をキセノンランプにし、上記第２光源を有機ＥＬランプにするとよい。
さらに、上記のような画像読取装置を備えた画像形成装置も提供する。
【発明の効果】
【０００９】
この発明による画像読取装置と画像形成装置は、原稿の読み取り時にカラー原稿に対してもモノクロ原稿に対してもそれぞれ必要な光量を備えると共に、広い分光分布を持った光を照射できるようにすることができる。
【図面の簡単な説明】
【００１０】
【図１】実施例の画像形成装置におけるＡＤＦと画像読取装置の制御ブロック構成を示す図である。
【図２】実施例の画像読取装置を備えた画像形成装置の構成を示す図である。
【図３】実施例の画像形成装置におけるＡＤＦと画像読取装置の内部構成を示す図である。
【図４】実施例の画像形成装置における原稿読取装置の２種類の光源の部分の構成図である。
【図５】実施例の画像形成装置における第２光源の形状を示す外観斜視図である。
【００１１】
【図６】有機ＥＬランプの構成例を示す断面図である。
【図７】実施例の画像形成装置における第１光源としてキセノンランプを、第２光源として有機ＥＬランプを使用した場合のそれぞれのランプの光の分光分布の一例を示す波形図である。
【図８】ＣＣＤにおける入射光の波長毎の分光感度の分布の一例を示す波形図である。
【図９】実施例の原稿読取装置における原稿の読み取り時に実行する第１のサブルーチン制御処理を示すフローチャート図である。
【００１２】
【図１０】実施例の原稿読取装置における原稿の読み取り時に実行する第２のサブルーチン制御処理を示すフローチャート図である。
【図１１】実施例の原稿読取装置における原稿の読み取り時に実行する第３のサブルーチン制御処理を示すフローチャート図である。
【図１２】実施例の原稿読取装置における原稿の読み取り時に実行する第４のサブルーチン制御処理を示すフローチャート図である。
【発明を実施するための形態】
【００１３】
以下、この発明を実施するための形態を図面に基づいて具体的に説明する。
図２は、この発明の一実施例の画像読取装置を備えた画像形成装置の構成を示す図である。
この画像形成装置１は、複写機又は複合機であり、自動原稿搬送装置（「ＡＤＦ」と略称する）２と、画像読取装置３と、本体装置４を備えている。
ＡＤＦ２は、原稿を画像読取装置３へ搬送し、画像読取装置３によって原稿の両面の画像を読み取らせるために、原稿を反転させる機能を備えている（自動両面原稿搬送装置「ＡＲＤＦ」とも呼ぶ）。
画像読取装置３は、ＡＤＦ２から搬送された原稿、又は原稿台ガラスに載置された原稿の画像を読み取るスキャナ装置であって、画像の読み取り時に原稿に光を照射する光源を２種類備えており、原稿の画像を読み取る際に２種類の光源の発光を制御する機能を備えている。
【００１４】
本体装置４は、画像読取装置３によって読み取ったカラー画像データ又はモノクロ画像データを用紙に印刷する。また、複合機の場合は、通信機能を介して外部からファクシミリ受信した画像データ、インターネットを介して受信した画像データを印刷することもできる。さらに、複合機の場合は、画像読取装置３によって読み取った画像データをファクシミリ送信、インターネットを介した通信によって外部のファクシミリ装置や情報処理装置へ送ることもできる。
本体装置４は、画像読取装置３によって読み取った画像データに基づいて印刷を制御する制御部（図示を省略）を備えている。
また、その制御部からの上記画像データに基づく指示により、４個の感光体（ドラム状の感光体の場合「感光体ドラム」とも呼ぶ）５１ｙ〜５１ｋのそれぞれの表面上に静電潜像を形成する複数のミラーやレンズを含む露光部を備えた露光装置５０を備えている。
【００１５】
各感光体５１ｙ〜５１ｋは、それぞれ表面にイエロー（Ｙ）、マゼンタ（Ｍ）、シアン（Ｃ）、ブラック（Ｋ）の各トナー画像が書き込まれる像担持体である。
各感光体５１ｙ〜５１ｋの周りには、各感光体５１ｙ〜５１ｋのそれぞれの表面を帯電処理する各帯電装置５２ｙ〜５２ｋと、各感光体５１ｙ〜５１ｋのそれぞれの表面に形成された静電潜像をそれぞれの色のトナーで可視像化する各現像装置５３ｙ〜５３ｋと、各感光体５１ｙ〜５１ｋ上にそれぞれ形成されたトナー像（可視像）を中間転写ベルト５５上に重ねるように転写した後に、各感光体５１ｙ〜５１ｋに残ったトナーを回収する各クリーニング装置５４ｙ〜５４ｋを設けている。
中間転写ベルト５５は、各感光体５１ｙ〜５１ｋのいずれか１つに書き込まれた単色のトナー画像が転写、又は各感光体５１ｙ〜５１ｋにそれぞれ書き込まれた各色のトナー画像が重ねて転写される転写体（転写手段に相当する）である。
【００１６】
このデジタルカラー複写機２０は、カラー印刷の場合、中間転写ベルト５５に、各感光体５１ｙ〜５１ｋに書き込まれた各トナー画像を重ねるように転写し、カラーのトナー画像を形成する。また、モノクロ印刷の場合、中間転写ベルト５５に、感光体５６ｋに書き込まれたブラックのトナー画像を転写し、モノクロのトナー画像を形成する。
一方、給紙トレイ部５６から搬送手段５７によって搬送された用紙（転写紙）Ｐは、レジストローラ部５８において一旦停止し、中間転写ベルト５５の回転と同期をとって再給紙され、転写ローラ部５９によって中間転写ベルト５５上のトナー像を用紙Ｐに転写する。トナー像が転写された用紙Ｐは定着装置６０によって定着処理され、最後に排紙手段６１によって排紙収納部６２に排出される。
【００１７】
次に、ＡＤＦ２と画像読取装置３の内部構成を説明する。
図３は、図２に示したＡＤＦ２と画像読取装置３の内部構成を示す図である。
ＡＤＦ２について説明する。
ＡＤＦ２の原稿台１０の原稿ガイド１１に沿って積載された原稿（図示省略）は、片面原稿読み取りを選択した場合には、呼び出しコロ１２、給紙ベルト１３により搬送コロ１４、分離コロ１５、第１搬送ローラ１６によりＤＦ用原稿ガラス１７と反射ガイド板１８との間の読取位置を経て、第２搬送ローラ１９及び排紙ローラ２０へ送り込まれ、原稿が排出される。
ＤＦ用原稿ガラス１７前にはレジストセンサ２１が配置されており、読取部（光源ユニットからの光の照射位置）への原稿の進入（先端）や後端部のタイミングを検知できる。
【００１８】
一方、両面原稿読み取りを選択した場合には、まず原稿の表面の読み取りを上記、片面原稿読み取りを選択した場合と同様に実施する。
原稿の表面の読み取りを説明する。
呼び出しコロ１２、給紙ベルト１３により搬送コロ１４、分離コロ１５、第１搬送ローラ１６によりＤＦ用原稿ガラス１７と反射ガイド板１８との間の読取位置を経て、第２搬送ローラ１９及び排紙ローラ２０へ送り込まれ、原稿を排出せずに、分岐爪２２が下方へ切り換えられて反転ローラ２３により反転テーブル２４上へ移送される。
原稿の後端が排紙ローラ２０を抜けた後に分岐爪２２が上方へ切り換えられて一旦、反転ローラ２３が停止する。
【００１９】
次に、原稿の裏面の読み取りを説明する。
原稿の裏面の読み取りを実施するためには、一旦、停止していた反転ローラ２３を上述とは逆方向へ回転させることにより原稿が反転テーブル２４から第１搬送ローラ１６の方向へ搬送され、更に第１搬送ローラ１６を経て表面と同様にＤＦ用原稿ガラス１７と反射ガイド板１８との間の読取位置を経て、第２搬送ローラ１９及び排紙ローラ２０へ送り込まれ、その後、原稿が排出される。
ＡＤＦ２の呼び出しコロ１２、給紙ベルト１３、搬送コロ１４、分離コロ１５の給紙機構は給紙モータ（図示省略）により駆動されている。
【００２０】
また、第１搬送ローラ１６、第２搬送ローラ１９、排紙ローラ２０、反転ローラ２３の搬送機構は搬送モータ（図示省略）により駆動されている。
さらに、ＡＤＦ２には原稿を検知するために原稿台１０へ原稿がセットされているか否かを検知する原稿セットセンサ２５、原稿サイズを検知するための原稿幅サイズ検知センサ２６、第１原稿長サイズ検知センサ２７と第２原稿長サイズ検知センサ２８、原稿の後端を検知するための原稿後端検知センサ２９、原稿の排紙を検知する排紙センサ３０が搭載されている。
【００２１】
次に、画像読取装置３について説明する。
画像読取装置３は、原稿台ガラス４０上に置かれた原稿（図示省略）は、２種類の光源３１により光が照射される。
２種類の光源３１は第１ミラー３２と共に第１キャリッジ３３に搭載されており、原稿台ガラス４０の下部を移動しながら走査を行う。
原稿からの反射光は、第１ミラー３２及び第２キャリッジ３４上の第２ミラー３５、第３ミラー３６で走査され、レンズ３７により集束され、ＣＣＤセンサを含む光電変換部が搭載されたセンサボードユニット（ＳＢＵ）３８に照射されることにより電気信号に光電変換される。
【００２２】
第１ミラー３２と２種類の光源３１を搭載する第１キャリッジ３３、及び第２ミラー３５と第３ミラー３６を搭載する第２キャリッジ３４は、それぞれ走行体モータ３９を駆動源として、キャリッジホーム位置から最大走査領域方向（図中矢示Ａ方向の左右方向）に移動可能となっている。
原稿は、表面と裏面の読み取り共にＤＦ用原稿ガラス１７と反射ガイド板１８との間の読取位置を通過する際に、その読取位置の近傍に停止されている２種類の光源３１による光で照射され、その反射光は、第１ミラー３２、第２ミラー３５、第３ミラー３６、レンズ３７を介してＳＢＵ３８上の光電変換部に入射される。
この画像読取装置３には、ＡＤＦ２と画像読取装置３の動作制御を行うＣＰＵを備えたスキャナコントロールユニット（ＳＣＵ）４１が搭載されている。
【００２３】
次に、図１は、ＡＤＦ２と画像読取装置３の制御ブロック構成を示す図である。
ＡＤＦ２のＡＤＦ制御部４８は、ＣＰＵ、ＲＯＭ、及びＲＡＭを含むマイクロコンピュータを搭載し、画像読取装置３のＣＰＵ７０の制御により、上記レジストセンサ２１、原稿セットセンサ２５、原稿幅サイズ検知センサ２６、第１原稿長サイズ検知センサ２７、第２原稿長サイズ検知センサ２８、原稿後端検知センサ２９、及び排紙センサ３０と、公知なので図示を省略したＡＤＦリフトアップセンサ、ＡＤＦカバーオープンセンサ、反転トレイセンサを含む各種のセンサからの情報に基づいて、上記給紙モータ及び搬送モータと、公知なので図示を省略した反転モータを含む各種のモータ（図示省略）と、同じく公知なので図示を省略した給紙クラッチ、底板ソレノイド、反転ソレノイドを含む各部の駆動を接続し、原稿の搬送（反転も含む）を制御する。
このＡＤＦ制御部４８は、後述のビデオ信号入出力基板（ＶＩＯＢ）４２と接続し、そのＶＩＯＢ４２を介して電源制御ユニット（ＰＳＵ）４７から給電される電飾を上記モータ類を含む各部に中継する機能を有している。
【００２４】
次に、画像読取装置３は、ＳＢＵ３８上の光電変換部７９に入光された原稿の反射光を、光電変換部７９内で光の強度に応じた電圧値を持つアナログ信号に変換し、奇数ビットと偶数ビットに分けてＶＩＯＢ４２のアナログ処理部８０へ出力する。
アナログ処理部８０は、上記ＳＢＵ１０の光電変換部７９から入力したアナログ信号から暗電位部分を取り除き、奇数ビットと偶数ビットを合成し、所定の振幅にゲイン調整した後にアナログデジタル（Ａ／Ｄ）コンバータ８１に出力する。
Ａ／Ｄコンバータ８１は、アナログ処理部８０から入力したアナログ信号をデジタル信号化し、そのデジタル画像信号をシェーディング部８２へ出力する。
シェーディング部８２は、Ａ／Ｄコンバータ８１から入力したデジタル画像信号にシェーディング補正を施し、ＳＣＵ４１のイメージプロセッシングユニット（画像処理部、ＩＰＵ）７３へ出力する。
【００２５】
ＳＣＵ４１のＩＰＵ７３は、シェーディング部８２から入力したデジタル画像信号にガンマ補正、ＭＴＦ補正を含む各種の画像処理を施し、同期信号画像クロックと共に画像データとして、メモリコントローラ７４を介して画像データ記憶手段であるＳＤＲＡＭ７５に蓄積する。
メモリコントローラ７４は、ＳＤＲＡＭ７５に対する画像データの読み書きを管理し、ＳＤＲＡＭ７５に画像データを一旦蓄積すると、それを読み出して外部インタフェース（Ｉ／Ｆ）部７６を介して画像形成装置１の制御部へ転送する。そして、画像形成装置１の制御部は画像データに基づいて印刷をする。
【００２６】
ＳＣＵ４１上には、上記ＩＰＵ７３、メモリコントローラ７４、ＳＤＲＡＭ７５、外部Ｉ／Ｆ部７６の他に、ＣＰＵ７０、ＲＯＭ７１、ＲＡＭ７２、第２光源ドライバ７７とモータドライバ（「モータコントローラ」ともいう）７８を備えている。
ＣＰＵ７０は、ＲＡＭ７２を作業領域として、ＲＯＭ７１に記憶されたプログラムの手順を実行することにより、この画像読取装置３の全体の制御を司る。その制御の中には、モータドライバ７８を制御して走行体モータ（「ステッピングモータ」ともいう）３９の回転駆動の制御と、ＡＤＦ２の上記モータやクラッチ等の駆動のタイミング制御と、２種類の光源３１の点灯と消灯の制御も行っている。
【００２７】
また、２種類の光源３１の点灯と消灯の制御の際、原稿上の画像がモノクロ画像かカラー画像かを判断する処理、２種類の光源３１の故障の有無を判断する処理も行う。
この画像読取装置３は、原稿に照射する光の発光源（照明部）である２種類の光源３１として、第１光源４３と第２光源４４とを備えており、ＣＰＵ７０からの指示に基づいてＰＳＵ４７から第１光源４３に給電して点灯し、その給電を遮断することによって消灯する制御をする。
【００２８】
また、ＣＰＵ７０からの指示に基づいて第２光源ドライバ７７は、ＶＩＯＢ４２に対してＰＳＵ４７から第２光源４４に給電して点灯し、その給電を遮断することによって消灯する制御をする
例えば、ＣＰＵ７０は、第１光源４３を点灯する際には、点灯制御部４５へランプイネーブル信号（点灯信号）を出力し、点灯制御部４５は、そのランプイネーブル信号に基づいて、ＰＳＵ４７から第１光源４３へ給電して点灯駆動する。
また、ＣＰＵ７０は、第２光源４４を点灯する際には、第２光源ドライバ７７へ点灯指示を出力し、第２光源ドライバ７７は、ＶＩＯＢ４２にＰＳＵ４７から第１光源４３へ給電させて点灯駆動する。
【００２９】
さらに、ＣＰＵ７０は、入力ポートにＶＩＯＢ４２を介して操作パネル（ＳＯＰ）４６を接続しており、図示を省略したスタートスイッチと停止スイッチを含むＳＷＢも接続しており、それらの入出力制御も行う。オペレータによってスタートスイッチと停止スイッチが押下されると入力ポートを介してＣＰＵ７０はスイッチがオン（ＯＮ）されたことを検出する。
ＰＳＵ４７は、ＡＤＦ２及び画像読取装置３内の各部へ画像形成装置１の電源部（公知なので、図２には図示省略）からの給電を制御する。
【００３０】
次に、２種類の光源３１について説明する。
図４は、図３に示した原稿読取装置の２種類の光源３１の部分の構成図である。
２種類の光源３１は、第１光源４３と第２光源４４とからなり、第１光源４３、例えば、キセノンランプであり、第２光源４４は、例えば、有機エレクトロルミネッセンス（有機ＥＬ）ランプである。
第１光源４３と第２光源４４は、それぞれの発光する光の角は長後との光量分布が異なり、原稿読取装置１の第１キャリッジ３３に搭載されている。
第１キャリッジ３３内において、第１光源４３と第２光源４４とは、第１光源４３の発光した光Ｂ１と、第２光源４４の発光した光Ｂ２とが、原稿台ガラス４０を介して原稿Ｓの読み取り面上の同位置に照射されるように配置している。
そして、第１光源４３と第２光源４４を同時に照射した場合、それらの光Ｂ１とＢ２を合わせた光の反射光Ｂ３が第２ミラー３５へ照射される。また、第１光源４３と第２光源４４のいずれか一方を照射した場合、それぞれの光Ｂ１又はＢ２の反射光Ｂ３が第２ミラー３５へ照射される。
【００３１】
第２光源４４は、図５に示すように、主走査方向に対応する長手方向の大きさｗが、例えば、有効読み取り幅のＡ３幅：２９７ｍｍ以上、又はＡ４幅：２１０ｍｍ以上のものを設けている。
図６は、有機ＥＬランプの構成例を示す断面図である。
有機ＥＬランプは、ガラス基板９０、透明電極９１、有機ＥＬ発光層９２、電極９３、及び封止膜９４からなり、封止膜９４側から光を放射（図中矢示Ａ方向）する方式をトップエミッション方式と呼び、ガラス基板９０側から光を放射（図中矢示Ｂ方向）する方式をボトムエミッション方式と呼び、いずれの方式も使用できる。この有機ＥＬランプについては、公知なので詳細な説明を省略する。
【００３２】
図７は、第１光源４３としてキセノンランプを、第２光源４４として有機ＥＬランプを使用した場合のそれぞれのランプの光の分光分布の一例を示す波形図である。図８は、ＣＣＤにおける入射光の波長毎の分光感度の分布の一例を示す波形図である。
図７の波形ａは、キセノンランプの発光した光の分光分布を示し、波形ｂは有機ＥＬランプの発光した光の分光分布を示している。
キセノンランプの発光した光の分光分布は、太陽光のように連続スペクトルではなく、波長６２７ｎｍで相対強度のピーク（赤色、図中矢示Ｒ）と、波長５９３ｎｍで相対強度のピーク（緑色、図中矢示Ｇ）と、波長５４４ｎｍで相対強度のピーク（青色、図中矢示Ｂ）があるが、その各波長間では光の相対強度が極めて低かったりほぼ「０」だったりする不連続なスペクトルである。
【００３３】
したがって、図８に示すように、ＣＣＤの分光感度領域に対して、波長６２７ｎｍの反射光の相対分光感度（赤色、図中矢示Ｒ）と、波長５９３ｎｍの反射光の相対分光感度（緑色、図中矢示Ｇ）と、波長５４４ｎｍの反射光の相対分光感度（青色、図中矢示Ｂ）は良好であるが、それらの各波長間の反射光については、十分な光の相対強度が得られないので、読取画像の品質を向上させることができない。
そこで、キセノンランプの光に有機ＥＬランプの光を重畳することにより、原稿への照射光について、図７の波形ａと波形ｂを重ね合わせた光の分光分布が得られ、キセノンランプの光の分光分布の不連続な部分を、波形ｂに示すように、有機ＥＬランプの光の分光分布で補間することができ、原稿に照射する光の全ての波長において光電変換部７９において感度が良好な反射光を入射させることができ、読取画像の品質を向上させることができる。
【００３４】
このようにして、面発光が可能な光源（「面発光光源」という）である有機エレクトロルミネッセンス（以下「有機ＥＬ」と略称する）とキセノンランプを組み合せて照明ユニットを構成することにより、キセノンランプの分光分布の欠けている波長の領域及び光量を有機ＥＬで補間し、カラー原稿の読み取り時やモノクロ原稿の高速読み取り時に必要な光量を維持し、広い分光分布を持たせて効率的に読み取りを行えるようにすることができる。
【００３５】
この実施例の画像読取装置では、分光分布の異なる第１光源（キセノンランプ）と第２光源（有機ＥＬ）を組み合せて原稿照明ユニットを構成し、第１光源の分光分布の欠けている波長及び光量を第２光源で補間し、カラー原稿の読み取り時・モノクロ原稿の高速読み取り時に必要な光量を維持し、広い分光分布を持たせて効率的に読み取りを行えるようにする。
なお、上述の第１光源４３としてキセノンランプの代わりにＬＥＤと冷陰極管（ＣＣＦＬ）を含む他のランプを用いて、第２光源４４として有機ＥＬランプを組み合せてもよい。また、上記第２光源４４に、第１光源４３の光の不連続なスペクトルを補間するスペクトルを含む光を発光する他の種類のランプを用いてもよい。
【００３６】
次に、原稿読取装置３における原稿の読み取りの制御処理を説明する。
原稿読取装置３のＣＰＵ７０は、原稿の読み取り時にメイン制御を開始すると、以下の第１と第２のサブルーチン制御処理を実行する。
図９は、この実施例の原稿読取装置３における原稿の読み取り時に実行する第１のサブルーチン制御処理を示すフローチャート図である。
原稿読取装置３のＣＰＵ７０は、メイン制御を開始すると、まず、第１のサブルーチン制御処理を実行し、ステップ（図中「Ｓ」で示す）１で、カラー原稿（カラー画像が記載された原稿）か否かを判断する。
このカラー原稿か否かの判断は、予めオペレータの指示入力情報に基づいて判断しても良いし、原稿面をセンサで検知し、その検知結果からカラー画像か否かによって判断しても良く、公知技術を用いて判断するとよい。
【００３７】
ステップ１の判断で、カラー原稿の場合（「Ｙ」の場合）はステップ３へ進み、カラー原稿ではない場合（「Ｎ」の場合）には、ステップ２へ進む。
ステップ２で、モノクロ高速読み取りを行うシートスルー読み取り動作か否かを判断し、シートスルー読み取り動作の場合はステップ３へ進み、シートスルー読み取り動作ではない場合はこの第１のサブルーチン制御処理を終了し、メイン制御にリターンする。
ステップ３では、読み取り動作の開始か否かを判断し、読み取り動作の開始ではない場合（「Ｎ」の場合）には、この第１のサブルーチン制御処理を終了し、メイン制御にリターンする。
ステップ３でカラー原稿又はシートスルー読取によって読み取り動作開始の場合（「Ｙ」の場合）には、ステップ４で第１光源を点灯させると同時に、ステップ５で第２光源を点灯させ、ステップ６で読み取り動作を実行し、ステップ７へ進む。
【００３８】
ステップ７で、読み取り動作が終了か否かを判断し、終了でなければステップ４へ戻って上述の処理を繰り返し、終了であれば、ステップ８で第１光源及び第２光源を消灯させて、この第１のサブルーチン制御処理を終了し、メイン制御にリターンする。
このようにして、原稿読取装置３のＣＰＵ７０は、カラー原稿読み取り時には、第１光源４３と第２光源４４を同時に点灯させて原稿の２種類の光を合わせて照射し、画像の読み取りを実施する。
したがって、連続するスペクトルの光を照射してカラー画像を読み取るので、カラー画像全体を鮮明に読み取ることができる。
【００３９】
図１０は、この実施例の原稿読取装置３における原稿の読み取り時に実行する第２のサブルーチン制御処理を示すフローチャート図である。
原稿読取装置３のＣＰＵ７０は、メイン制御を開始すると、次に、第２のサブルーチン制御処理を実行し、ステップ（図中「Ｓ」で示す）１１で、モノクロ原稿（モノクロ画像（例えば、黒色のみの画像）が記載された原稿）か否かを判断する。
このモノクロ原稿か否かの判断は、予めオペレータの指示入力情報に基づいて判断しても良いし、原稿面をセンサで検知し、その検知結果からモノクロ画像か否かによって判断しても良く、公知技術を用いて判断するとよい。
ステップ１１の判断で、モノクロ原稿の場合（「Ｙ」の場合）はステップ１２へ進み、モノクロ原稿ではない場合（「Ｎ」の場合）には、この第２のサブルーチン制御処理を終了し、メイン制御にリターンする。
【００４０】
ステップ１２では、モノクロ原稿の読み取り動作の開始か否かを判断し、モノクロ原稿の読み取り動作の開始ではない場合（「Ｎ」の場合）には、この第２のサブルーチン制御処理を終了し、メイン制御にリターンする。
ステップ１２でモノクロ原稿の読み取り動作開始の場合（「Ｙ」の場合）には、ステップ１３で第１光源を点灯させ、ステップ１４で読み取り動作を実行し、ステップ１５へ進む。
ステップ１５で、読み取り動作が終了か否かを判断し、終了でなければステップ１３へ戻って上述の処理を繰り返し、終了であれば、ステップ１６で第１光源を消灯させて、この第２のサブルーチン制御処理を終了し、メイン制御にリターンする。
【００４１】
このようにして、原稿読取装置３のＣＰＵ７０は、モノクロ原稿読み取り時には、第１光源４３のみを点灯させて原稿に光を照射し、画像の読み取りを実施する。
したがって、モノクロ画像の読み取り時には不連続なスペクトルの光でも画像全体を鮮明に読み取ることができるので、２種類の光源を点灯することなく、必要な光源のみを点灯して省電力に寄与することができる。
上述の第１及び第２のサブルーチン制御処理によれば、原稿読取装置３は、原稿の画像の読み取りの際の第１光源４３と第２光源４４の点灯制御について、カラー原稿の読み取り時又はモノクロ原稿の高速読み取り時には第１光源４３と第２光源４４の両方を点灯させて照明を行い、モノクロ原稿の中低速読み取り時には第１光源４３のみを点灯させて照明を行うことができる。
【００４２】
次に、原稿読取装置３のＣＰＵ７０は、原稿の読み取り時にメイン制御において、以下の第３又は第４のサブルーチン制御処理を実行するとよい。
図１１は、この実施例の原稿読取装置３における原稿の読み取り時に実行する第３のサブルーチン制御処理を示すフローチャート図である。
原稿読取装置３のＣＰＵ７０は、第３のサブルーチン制御処理において、ステップ（図中「Ｓ」で示す）２１で、原稿の読み取り動作か否かを判断し、原稿の読み取り動作でなければ（「Ｎ」の場合）、この第３のサブルーチン制御処理を終了し、メイン制御にリターンする。
ステップ２１の判断で、原稿の読み取り動作の場合（「Ｙ」の場合）、ステップ２２で、原稿がモノクロ原稿で第１光源（例えば、キセノンランプ）のみ点灯させるか否かを判断し、第１光源のみ点灯させるのではない場合には（「Ｎ」の場合）、この第３のサブルーチン制御処理を終了し、メイン制御にリターンする。
【００４３】
ステップ２２の判断で、第１光源のみ点灯させる場合（「Ｙ」の場合）、ステップ２３で、第２光源（例えば、有機ＥＬランプ）の点灯時間Ｔ２＝Ｘ［ｍｓ］を設定し、ステップ２４へ進む。上記点灯時間Ｔ２＝Ｘ［ｍｓ］は、予め実験によって最適値を求めておき、その最適値を、ＣＰＵ７０が参照可能なメモリ、例えば、ＲＡＭ７２に保存しておくとよい。
ステップ２４では、原稿の読み取り動作開始か否かを判断し、読み取り動作開始ではない場合（「Ｎ」の場合）、この第３のサブルーチン制御処理を終了し、メイン制御にリターンする。
ステップ２４の判断で、読み取り動作開始の場合には（「Ｙ」の場合）、ステップ２５で、第２光源の点灯タイマの時間Ｔ＝０［ｍｓ］にリセットして、ステップ２６で、第２光源（有機ＥＬランプ）を点灯させ、ステップ２７で、次に第１光源（キセノンランプ）を点灯させ、ステップ２８へ進む。
【００４４】
ステップ２８で、読み取り動作を実行し、ステップ２９で、第２光源の点灯タイマＴのカウント値が点灯時間設定値Ｔ２に一致したか否かを判断し、一致しなければステップ２６へ戻って上述の処理を繰り返し、一致したら、ステップ３０で、第２光源を消灯させ、ステップ３１へ進む。
ステップ３１では、原稿の読み取りが終了か否かを判断し、終了と判断するまで、この判断処理のステップを繰り返し、終了と判断したら、ステップ３２で、第１光源を消灯させ、この第３のサブルーチン制御処理を終了し、メイン制御にリターンする。
なお、第２光源４３の点灯時間設定値Ｔ２は、第１光源４４のキセノンランプの暗黒始動特性改善の目的であれば、数ｍｓ〜十数ｍｓを目安に設定し、光量の立上り特性を改善する目的であれば、数十ｍｓ〜百数十ｍｓを目安に設定するとよい。
【００４５】
このようにして、第１光源４３（例えば、キセノンランプ）を点灯させて原稿の画像を読み取る場合、第１光源４３を点灯する前に、第２光源４４（例えば、有機ＥＬランプ）を点灯させ、第１光源４３を点灯して所定時間経過したら第２光源を消灯することにより、第２光源４４の照明によって第１光源４３の暗黒始動特性及び光量立上り特性を改善してから、原稿の読み取りを開始することができるので、原稿の読み取り品質を向上させることができる。
【００４６】
図１２は、この実施例の原稿読取装置３における原稿の読み取り時に実行する第４のサブルーチン制御処理を示すフローチャート図である。
原稿読取装置３のＣＰＵ７０は、第４のサブルーチン制御処理において、ステップ（図中「Ｓ」で示す）３１で、原稿の読み取り動作か否かを判断し、原稿の読み取り動作でなければ（「Ｎ」の場合）、この第４のサブルーチン制御処理を終了し、メイン制御にリターンする。
ステップ３１の判断で、原稿の読み取り動作の場合（「Ｙ」の場合）、ステップ３２で、第１光源は正常か否かを判断する。この判断では、原稿の読み取り動作前に、第１光源を検査し、その検査結果に基づいて第１光源の点灯や光量が正常かを判断する。その検査は公知記述を用いればよいので詳細な説明を省略する。
【００４７】
ステップ３２の判断で、第１光源は正常の場合（「Ｙ」の場合）はステップ３３へ進み、第１光源は正常ではない（異常が見つかった）場合（「Ｎ」の場合）はステップ３８へ進む。
ステップ３３では、第１光源と同様にして第１光源は（点灯や光量が）正常か否かを判断し、正常なら（「Ｙ」の場合）ステップ３４へ進み、正常でなければ（「Ｎ」の場合）ステップ４０へ進む。
ステップ３４では、原稿の読み取り動作開始か否かを判断し、読み取り動作開始ではない場合（「Ｎ」の場合）、この第４のサブルーチン制御処理を終了し、メイン制御にリターンする。
ステップ３４の判断で、読み取り動作開始の場合には（「Ｙ」の場合）、ステップ３５で、第１光源及び第２光源を点灯し、ステップ３６へ進む。
【００４８】
ステップ３６では、原稿の読み取りが終了か否かを判断し、終了と判断するまで、ステップ３５とこの判断処理のステップを繰り返し、終了と判断したら、ステップ３７で、第１光源及び第２光源を消灯させ、この第４のサブルーチン制御処理を終了し、メイン制御にリターンする。
次に、ステップ３８では、第１光源の異常を通知し、ステップ３９へ進む。
上記異常通知は、ＣＰＵ７０が、例えば、操作パネル４６に異常を知らせるメッセージを表示する。
ステップ３９では、第１光源と同様にして第２光源は正常か否かを判断し、正常なら（「Ｙ」の場合）ステップ４１へ進み、正常でなければ（「Ｎ」の場合）ステップ４０へ進む。
【００４９】
ステップ４０では、上述と同様にして第２光源の異常を通知し、この第４のサブルーチン制御処理を終了し、メイン制御にリターンする。
次に、ステップ４１では、第２光源のみを点灯するか否かを判断し、第２光源のみを点灯なら（「Ｙ」の場合）ステップ４２へ進み、第２光源のみを点灯するのでなければ（「Ｎ」の場合）、この第４のサブルーチン制御処理を終了し、メイン制御にリターンする。
ステップ４２では、第２光源を点灯させて、ステップ４３で読み取り動作を実行し、ステップ４４で原稿の読み取りが終了か否かを判断し、終了と判断するまで、ステップ４２からこの判断処理のステップまでの処理を繰り返し、終了と判断したら、ステップ４５で、第２光源を消灯させ、この第４のサブルーチン制御処理を終了し、メイン制御にリターンする。
【００５０】
この第４のサブルーチン制御処理をさらに説明すると、原稿読み取り動作か否かを判断し（Ｓ３１）、原稿読み取り動作で第１光源の点灯や光量が正常かを判断し（Ｓ３２）、第１光源が正常であれば第２光源の点灯や光量が正常かを判断し（Ｓ３３）、第１光源及び第２光源が正常で読み取り動作開始の場合には（Ｓ３４）、第１光源及び第２光源を点灯させ（Ｓ３５）、その後、原稿の読み取りが終了すれば（Ｓ３６）、第１光源及び第２光源を消灯させる（Ｓ３７）。
また、第１光源が故障による不点灯か経時劣化による光量不足の場合には異常と判断して第１光源の異常通知を行い（Ｓ３８）、次に第２光源の点灯や光量が正常かを判断し（Ｓ３９）、第２光源が故障による不点灯か経時劣化による光量不足の場合には異常と判断して第２光源の異常通知を行う（Ｓ４０）。
【００５１】
さらに、第１光源が異常の場合においても、第２光源が正常で修理完了までのダウンタイムを低減するため、例えば、モノクロモードでの画像読取動作や読取時間を遅くして光量不足を補うような条件によって動作させる第２光源のみでの点灯モードの場合には（Ｓ４１）、第２光源を点灯させて（Ｓ４２）、原稿の読み取り動作を行い（Ｓ４３）、読み取り動作が終了後（Ｓ４４）、第２光源を消灯させる（Ｓ４５）。
このようにして、原稿の読み取り開始前、第１光源４３が正常か否かを判断し、第１光源４３が正常ではなかった場合、第２光源４４を点灯させて原稿の読み取りを開始するので、第１光源４３が故障によってランプ不点灯や経時劣化による光量低下に対して、第２光源４４によって照明を代わって行ったり、不足する光量を補間することができる。
【００５２】
この実施例の原稿読取装置は、キセノンランプによる照明に加えて、有機ＥＬによる照明を行うことにより、キセノンランプの分光分布の欠けている波長の領域及び光量を有機ＥＬで補間することができ、カラー原稿の読み取り時やモノクロ原稿の高速読み取り時に必要な光量を維持し、広い分光分布を持たせて効率的に読み取りを行うことができる。
上述の実施例では、複写機又は複合機について説明したが、スキャナを含む画像読取装置単体において、又は画像を読み取る機能を備えたファクシミリ装置、プリンタを含む画像形成装置においても実施することができる。
【産業上の利用可能性】
【００５３】
この発明による画像読取装置と画像形成装置は、スキャナ装置、画像読取機能を備えたプリンタ、複写機、複合機を含む画像処理装置全般に適用することができる。
【符号の説明】
【００５４】
１：画像形成装置    ２：ＡＤＦ    ３：画像読取装置    ４：本体装置    １０：原稿台    １１：原稿ガイド    １２：呼び出しコロ    １３：給紙ベルト    １４：搬送コロ    １５：分離コロ    １６：第１搬送ローラ    １７：ＤＦ用原稿ガラス    １８：反射ガイド板    １９：第２搬送ローラ    ２０：排紙ローラ    ２１：レジストセンサ    ２２：分岐爪    ２３：反転ローラ    ２４：反転テーブル    ２５：原稿セットセンサ    ２６：原稿幅サイズ検知センサ    ２７：第１原稿長サイズ検知センサ    ２８：第２原稿長サイズ検知センサ    ２９：原稿後端検知センサ    ３０：排紙センサ    ３１：２種類の光源    ３２：第１ミラー    ３３：第１キャリッジ    ３４：第２キャリッジ    ３５：第２ミラー    ３６：第３ミラー    ３７：レンズ    ３８：ＳＢＵ    ３９：走行体モータ    ４０：原稿台ガラス    ４１：ＳＣＵ    ４２：ＶＩＯＢ    ４３：第１光源    ４４：第２光源    ４５：点灯制御部    ４６：操作パネル    ４７：ＰＳＵ    ４８：ＡＤＦ制御部    ５０：露光装置    ５１ｙ〜５１ｋ：感光体    ５２ｙ〜５２ｋ：帯電装置    ５３ｙ〜５３ｋ：現像装置    ５４ｙ〜５４ｋ：クリーニング装置    ５５：中間転写ベルト    ５６：給紙トレイ部    ５７：搬送手段    ５８：レジストローラ部    ５９：転写ローラ部    ６０：定着部    ６１：排紙手段    ６２：排紙収納部    ７０：ＣＰＵ    ７１：ＲＯＭ    ７２：ＲＡＭ    ７３：ＩＰＵ    ７４：メモリコントローラ    ７５：ＳＤＲＡＭ    ７６：外部Ｉ／Ｆ部    ７７：第２光源ドライバ    ７８：モータドライバ    ７９：光電変換部    ８０：アナログ処理回路    ８１：Ａ／Ｄコンバータ    ８２：シェーディング部    ９０：ガラス基板    ９１：透明電極    ９２：有機ＥＬ発光層    ９３：電極    ９４：封止膜    Ｐ：用紙    Ｓ：原稿
【先行技術文献】
【特許文献】
【００５５】
【特許文献１】特開２００９−２１２６７９号公報
【図１】
2011228895.tif 000003
【図２】
2011228895.tif 000004
【図３】
2011228895.tif 000005
【図４】
2011228895.tif 000006
【図５】
2011228895.tif 000007
【図６】
2011228895.tif 000008
【図７】
2011228895.tif 000009
【図８】
2011228895.tif 000010
【図９】
2011228895.tif 000011
【図１０】
2011228895.tif 000012
【図１１】
2011228895.tif 000013
【図１２】
2011228895.tif 000014